(57)【要約】【課題】土付着防止体のみを容易に交換できるゲージ輪装置を提供する。【解決手段】ゲージ輪装置23は、農作業機１に用いるものである。ゲージ輪装置23は、左右方向に沿った水平な回転中心軸線Ｘを中心として回転する回転体51を備える。回転体51の外周部には、土が付着しにくい円筒状の筒状体である土付着防止体55を脱着可能に設ける。回転体51は、土付着防止体55の内周面を部分的に支持する支持部66を有する。回転体51の支持部66の回転中心軸線Ｘに沿った方向の寸法が、土付着防止体55の回転中心軸線Ｘに沿った方向の寸法よりも小さい。【選択図】図１
2013256178.tif 000002
【特許請求の範囲】
【請求項１】
農作業機に用いられるゲージ輪装置であって、
回転中心軸線を中心として回転する回転体と、
この回転体の外周部に脱着可能に設けられ、圃場を走行する筒状体と
を備えることを特徴とするゲージ輪装置。
【請求項２】
回転体は、筒状体の内周面を支持する支持部を有し、
前記支持部の回転中心軸線に沿った方向の寸法が、前記筒状体の回転中心軸線に沿った方向の寸法よりも小さい
ことを特徴とする請求項１記載のゲージ輪装置。
【請求項３】
筒状体を回転体の支持部に対して解除可能に固定するための固定手段を備え、
前記筒状体および前記回転体の支持部の各々は、固定用孔を有する
ことを特徴とする請求項２記載のゲージ輪装置。
【請求項４】
固定手段は、ボルトおよびこのボルトに螺合可能なナットを有し、
筒状体の固定用孔は、前記ボルトの頭部が嵌入係止される嵌入係止孔であり、
回転体の支持部の固定用孔は、前記ボルトの軸部が挿通される挿通孔である
ことを特徴とする請求項３記載のゲージ輪装置。
【請求項５】
筒状体は、土が付着しにくい土付着防止体である
ことを特徴とする請求項１ないし４のいずれか一記載のゲージ輪装置。
【発明の詳細な説明】
【技術分野】
【０００１】
本発明は、農作業機に用いられるゲージ輪装置に関するものである。
【背景技術】
【０００２】
従来、例えば特許文献１に記載された農作業機用のゲージ輪装置が知られている。
【０００３】
この従来のゲージ輪装置は、円形の左右側壁とこれら左右側壁の外周縁部を相互に連結する周壁とを有する中空状の回転体を備え、この回転体の中心部にはベアリングが内嵌される軸嵌合孔が形成され、この軸嵌合孔の内面にはベアリングの位置決め用のフランジが周方向にわたって形成されている。
【０００４】
そして、この回転体は、ブロー成形により一体形成された樹脂製であり、左右側壁にこれら左右側壁を内側に突出させることで形成される凹部を有しており、この左右の凹部が相互に接合されている。
【先行技術文献】
【特許文献】
【０００５】
【特許文献１】特開平４−２４８９０３号公報
【発明の概要】
【発明が解決しようとする課題】
【０００６】
しかしながら、上記従来のゲージ輪装置では、例えば回転体の外周部が破損等した場合には、回転体の全体を交換しなければならず、その交換に手間取るおそれもある。
【０００７】
本発明は、このような点に鑑みなされたもので、筒状体のみを容易に交換できるゲージ輪装置を提供することを目的とする。
【課題を解決するための手段】
【０００８】
請求項１記載のゲージ輪装置は、農作業機に用いられるゲージ輪装置であって、回転中心軸線を中心として回転する回転体と、この回転体の外周部に脱着可能に設けられ、圃場を走行する筒状体とを備えるものである。
【０００９】
請求項２記載のゲージ輪装置は、請求項１記載のゲージ輪装置において、回転体は、筒状体の内周面を支持する支持部を有し、前記支持部の回転中心軸線に沿った方向の寸法が、前記筒状体の回転中心軸線に沿った方向の寸法よりも小さいものである。
【００１０】
請求項３記載のゲージ輪装置は、請求項２記載のゲージ輪装置において、筒状体を回転体の支持部に対して解除可能に固定するための固定手段を備え、前記筒状体および前記回転体の支持部の各々は、固定用孔を有するものである。
【００１１】
請求項４記載のゲージ輪装置は、請求項３記載のゲージ輪装置において、固定手段は、ボルトおよびこのボルトに螺合可能なナットを有し、筒状体の固定用孔は、前記ボルトの頭部が嵌入係止される嵌入係止孔であり、回転体の支持部の固定用孔は、前記ボルトの軸部が挿通される挿通孔であるものである。
【００１２】
請求項５記載のゲージ輪装置は、請求項１ないし４のいずれか一記載のゲージ輪装置において、筒状体は、土が付着しにくい土付着防止体であるものである。
【発明の効果】
【００１３】
本発明によれば、筒状体が回転体の外周部に脱着可能に設けられた構成であるから、筒状体のみを容易に交換できる。
【図面の簡単な説明】
【００１４】
【図１】本発明の第１の実施の形態に係るゲージ輪装置を備えた農作業機の全体側面図である。
【図２】同上農作業機の全体平面図である。
【図３】同上農作業機の部分側面図である。
【図４】同上農作業機の部分平面図である。
【図５】同上第１の実施の形態に係るゲージ輪装置を示す図であり、（ａ）が断面図、（ｂ）が側面図である。
【図６】本発明の第２の実施の形態に係るゲージ輪装置を示す図であり、（ａ）が断面図、（ｂ）が側面図である。
【図７】本発明の第３の実施の形態に係るゲージ輪装置を示す図であり、（ａ）が断面図、（ｂ）が側面図である。
【図８】本発明の第４の実施の形態に係るゲージ輪装置を示す図であり、（ａ）が断面図、（ｂ）が側面図である。
【図９】本発明の第５の実施の形態に係るゲージ輪装置を示す図であり、（ａ）が断面図、（ｂ）が側面図である。
【発明を実施するための形態】
【００１５】
本発明の第１の実施の形態について図１ないし図５を参照して説明する。
【００１６】
図中の１は農作業機で、この農作業機１は、例えば走行車であるトラクタ（図示せず）の後部に連結され、トラクタの走行により圃場を前方（進行方向）に移動しながら耕耘整地作業等を行う耕耘作業機である。
【００１７】
農作業機１は、図１および図２に示されるように、トラクタの後部の３点リンクヒッチ部（作業機昇降支持部）に脱着可能に連結された機体２を備えている。
【００１８】
機体２は、左右方向長手状のフレーム部であるフレームパイプ部３を有し、このフレームパイプ部３の長手方向中央部に入力軸保持部４が設けられ、この入力軸保持部４にて入力軸５が回転可能に保持されている。入力軸５は、図示しないトラクタのＰＴＯ軸に動力伝達手段を介して接続されており、トラクタ側からの動力が入力軸５から農作業機１側に入力される。
【００１９】
フレームパイプ部３の長手方向両端部には、互いに離間対向する伝動ケース部６およびブラケット部７が設けられている。これら伝動ケース部６およびブラケット部７間には、入力軸５側からの動力により所定方向に回転しながら耕耘作業をする耕耘体（ロータリー）11が回転可能に架設されている。
【００２０】
耕耘体11は、伝動ケース部６の下部とブラケット部７の下部とにて回転可能に支持された左右方向の耕耘軸12と、この耕耘軸12に取り付けられた複数の耕耘爪13とを有している。
【００２１】
耕耘体11の上方部は、機体２の耕耘カバー部10にて覆われている。耕耘カバー部10は、上方に向かって凸の湾曲板状に形成されている。そして、耕耘カバー部10の後端部には、耕耘体11の後方で整地作業をする整地体15が上下方向に回動可能に設けられている。
【００２２】
整地体15は、機体２の耕耘カバー部10の後端部に蝶番16を介して回動可能に取り付けられた均平板17と、この均平板17の左右方向両端部に折り畳み可能に取り付けられた延長均平板18とを有している。なお、耕耘体11と整地体15とにて、農作業である耕耘整地作業をする作業手段20が構成されている。
【００２３】
また、機体２は、フレームパイプ部３よりも前方に位置する左右方向長手状のフレーム部であるヒッチパイプ部21を有し、このヒッチパイプ部21の複数箇所、すなわち例えば互いに離間した左右の２箇所にゲージ輪支持手段であるゲージ輪ホルダ部22が設けられている。
【００２４】
そして、機体２の左右の各ゲージ輪ホルダ部22には、耕耘体11の耕耘深さ（作業手段20の作業深さ）を一定にするための農作業機用のゲージ輪装置（ゲージ輪）23が脱着可能に装着されている。このゲージ輪装置23は、ゲージ輪ホルダ部22に対して上下位置調整可能となっている。
【００２５】
ゲージ輪ホルダ部22は、図３および図４等に示されるように、ヒッチパイプ部21に固着された鉛直状の取付板25を有している。取付板25には、平面視でコ字状をなすコ字状板26が固着され、このコ字状板26と取付板25との間にアーム挿通口部27が形成されている。
【００２６】
コ字状板26には、複数（例えば２つ）のピン用孔28が形成されている。コ字状板26には水平状の支持軸29が突設され、この支持軸29にて止めピンＵ字枠30が回動可能に支持されている。止めピンＵ字枠30には、Ｌ字状の止めピン（操作脱着ピン）31がゲージ輪装置23のアーム体41のピン用孔42に対して進退するようにスライド可能に取り付けられている。
【００２７】
止めピン31は、コイル状の押ばね32によりコ字状板側の方向（図４に示す付勢方向）に向けて付勢されている。押ばね32の一端部は止めピン31に固定されたＥリング33に当接し、押ばね32の他端部は止めピンＵ字枠30の内面に当接している。
【００２８】
また、取付板25には、平面視で三角状をなす水平板35が固着され、この水平板35に円柱状のばね保持部材36が立設されている。ばね保持部材36の外周側には、ゲージ輪装置23を上方に向けて付勢するコイル状の付勢部材であるゲージ輪付勢ばね37が配設されている。
【００２９】
ゲージ輪装置23は、図３、図５（ａ）および（ｂ）等に示されるように、ゲージ輪ホルダ部22のアーム挿通口部27に上下方向にスライド可能に挿通された上下方向長手状のアーム体41を有している。アーム体41には、上下方向に間隔をおいて並ぶ複数のピン用孔42が形成されている。そして、選択されたピン用孔28，42に対して止めピン31が挿入されることにより、アーム体41がコ字状板26に対して位置決め固定されている。なお、止めピン31を押ばね32の付勢に抗してスライドさせてピン用孔28，42から一旦挿出させることで、ゲージ輪装置23の高さを調整することが可能である。
【００３０】
アーム体41の上端部には、作業者が把持する丸棒状の把持体43が固着されている。また、アーム体41の上端部には取付板44が固着され、この取付板44に円筒状の筒状体45が固着され、この筒状体45内にゲージ輪付勢ばね37の上部が挿入され、このゲージ輪付勢ばね37にて筒状体45が上方に向けて直接付勢されている。
【００３１】
また、アーム体41の下端部には、左右方向に沿った水平な回転中心軸線Ｘを中心として回転する回転体（ホイール部）51をベアリング53を介して回転可能に支持する軸部である支軸体52が固着されている。つまり、アーム体41の下端部に水平状の支軸体52が固着され、この支軸体52の外周側に回転体51がこの支軸体52を中心として回転可能に設けられている。なお、支軸体52の中心軸芯が回転中心軸線Ｘ上に位置している。
【００３２】
そして、回転体51の外周部の外周面には、回転中心軸線Ｘを中心として回転体51とともに回転しながら圃場を走行する円筒状の筒状体である土付着防止体（タイヤ部）55が脱着可能に取り付けられている。換言すると、ボルト56およびこのボルト56に螺合可能なナット57を有する固定手段58によって、圃場の土が付着しにくい土付着防止体55が回転体51の外周部に対して固定解除可能に固定されている。
【００３３】
ここで、回転体51は、軸方向両端面が開口した円筒状のボス部である筒状部61を有し、この筒状部61内に支軸体52が軸方向一端側から挿入されている。支軸体52の外周面と筒状部61の内周面との間にベアリング53が配設されている。筒状部61の軸方向一端開口は円環状のガード62にて閉鎖され、筒状部61の軸方向他端開口は円板状の蓋63にて閉鎖されている。
【００３４】
筒状部61の軸方向中間部の外周面には、筒状部61の径方向に長手方向を有する長手状で板状の複数、すなわち例えば４本のアーム部65が９０度間隔で一体に突設されている。
【００３５】
各アーム部65の先端部には、土付着防止体55の内周面の一部を支持する支持部66が一体に固設されている。つまり、回転体51は、土付着防止体55の軸方向中央部における内周面の一部と面状に接触する複数、すなわち例えば４つの円弧板状の支持部66を外周部に有し、これら４つの支持部66に対して１つの筒状の土付着防止体55が固定手段58によって脱着可能に取り付けられている。なお、各支持部66は、回転中心軸線Ｘを中心とする仮想円の一部である円弧上に位置している。
【００３６】
また、各支持部66には、皿ボルト等のボルト56の軸部56aが挿通される複数（例えば２つ）の固定用孔である挿通孔68が内外周面に貫通して形成されている。一方、土付着防止体55のうち、支持部66の各挿通孔68と対向する部分には、ボルト56の頭部56bが外周側から嵌入係止される固定用孔である嵌入係止孔69が挿通孔68と連通するように内外周面に貫通して形成されている。
【００３７】
そして、土付着防止体55を回転体51の外周側に嵌め込むと、回転体51の各挿通孔（固定用孔）68と土付着防止体55の各嵌入係止孔（固定用孔）69とが互いに連通した状態となる。
【００３８】
この状態で、ボルト56を固定用孔68，69に挿入し、この挿入したボルト56にナット57を螺合して締め付けると、土付着防止体55が回転体51の支持部66に対して固定される。また、土付着防止体55の支持部66に対する固定を解除する際には、ボルト56とナット57との螺合を解除すればよい。
【００３９】
なお、図５（ａ）から明らかなように、回転体51の支持部66の回転中心軸線Ｘに沿った方向の寸法（左右方向寸法）ａが、土付着防止体55の回転中心軸線Ｘに沿った方向の寸法（左右方向寸法）ｂよりも小さい。すなわち例えば、寸法ａは寸法ｂの略半分である。
【００４０】
また、筒状体である土付着防止体55は、回転体51の外面全体を覆って保護するもので、例えば圃場の土が付着しにくい樹脂製または金属製の円筒部材70のみによって構成されている。円筒部材70は、軸方向両端面が開口した円筒状に形成され、この円筒部材70の外周面が、土が付着しにくい平滑面状の円筒面となっている。ボルト56の頭部56bは、その全体が嵌入係止孔69内に収納されており、円筒部材70の外周面から突出していない。
【００４１】
そして、円筒部材70のみからなる土付着防止体55は、回転体51の外周部に対して嵌脱可能となっており、この回転体51の外周部に嵌合した土付着防止体55が固定手段58によってその外周部の支持部66に固定されている。
【００４２】
なお、回転体51は、例えば鉄等の金属材料にて形成されている。土付着防止体55は、例えば樹脂材料、またはステンレス等の金属材料によって一体に形成されている。そして、回転体51と土付着防止体55とにて、回転可能なゲージ輪部60が構成されている。
【００４３】
さらに、アーム体41の下端部近傍には、土付着防止体55の外周面に付着した付着物（土は付着しにくいが、例えば土質等によっては土が付着する場合もある）を掻き取って除去する付着物除去手段である板状のスクレーパ71が取り付けられている。
【００４４】
スクレーパ71は、アーム体41のねじ孔72への取付ボルト73の螺合によりアーム体41に取り付けられた取付板部74を有している。この取付板部74の先端部には、土付着防止体55に付着した付着物を掻き取る作用板部75が折曲げにより一体に設けられている。
【００４５】
次に、農作業機１の作用等を説明する。
【００４６】
トラクタの走行により農作業機１を進行方向に移動させると、耕耘体11にて耕耘作業が行われ、この耕耘体11の後方で整地体15にて整地作業が行われる。
【００４７】
このとき、耕耘体11の前方では、ゲージ輪装置23のゲージ輪部60が所定方向に回転しながら圃場を走行する。つまり、接地部である土付着防止体55が、左右方向の回転中心軸線Ｘを中心として回転体51とともに回転しながら圃場を走行する。このため、耕耘体11の耕耘深さが一定に維持され、安定した耕耘整地作業が行われる。
【００４８】
そして、この農作業機１のゲージ輪装置23によれば、ゲージ輪装置23の筒状の土付着防止体55が回転体51の外周部に脱着可能に設けられた構成であるから、例えば土付着防止体55が破損や磨耗等して交換が必要になった場合において、回転体51を交換することなく、土付着防止体55のみを容易に交換でき、その交換費用も安価である。
【００４９】
また、回転体51の支持部66の回転中心軸線Ｘに沿った方向の寸法ａが土付着防止体55の回転中心軸線Ｘに沿った方向の寸法ｂよりも小さいため、例えば両寸法が同じである構成等に比べて、ゲージ輪部60の軽量化を図ることができる。
【００５０】
さらに、回転体51が土付着防止体55の内周面を部分的に支持する複数の円弧板状の支持部66を有した構成であるから、例えば回転体51が土付着防止体55の内周面を全周にわたって支持する場合等に比べて、ゲージ輪部60の更なる軽量化を図ることができる。
【００５１】
また、土付着防止体55は、土が付着しにくい樹脂製または金属製の円筒部材70のみにて構成されているため、構成が簡単であるばかりでなく、ゲージ輪部60への土付着を防止できる。
【００５２】
さらに、仮に圃場の土が土付着防止体55の外周面に付着したとしても、スクレーパ71にて土付着防止体55の付着物を適切に除去できる。
【００５３】
次に、本発明の第２の実施の形態について図６（ａ）および（ｂ）を参照して説明する。
【００５４】
この第２の実施の形態に係るゲージ輪装置23では、回転体51のアーム部65の本数が２本である。また、回転体51は、土付着防止体55の円筒面状の内周面を全周にわたって支持する円筒状の支持部81を有し、この支持部81に複数の挿通孔68が形成され、この支持部81の外周面に土付着防止体55が脱着可能に取り付けられている。
【００５５】
なお、図６（ａ）から明らかなように、回転体51の支持部81の回転中心軸線Ｘに沿った方向の寸法（左右方向寸法）ａが、土付着防止体55の回転中心軸線Ｘに沿った方向の寸法（左右方向寸法）ｂよりも小さい。なお、その他の構成は、前記第１の実施の形態と同じである。
【００５６】
そして、この第２の実施の形態でも、回転体51を交換することなく、土付着防止体55のみを容易に交換できる等、前記第１の実施の形態と同様の作用効果を奏することができる。
【００５７】
しかも、回転体51が円筒状の土付着防止体55の内周面を全周にわたって支持する円筒状の支持部81を有した構成であるから、例えば外周側の土付着防止体55が破損等した場合であっても、ゲージ輪装置23として使用できる。
【００５８】
次に、本発明の第３の実施の形態について図７（ａ）および（ｂ）を参照して説明する。
【００５９】
この第３の実施の形態に係るゲージ輪装置23は、前記第２の実施の形態において、回転体51のアーム部65の本数を４本にしたものである。
【００６０】
そして、この第３の実施の形態でも、回転体51を交換することなく、土付着防止体55のみを容易に交換できる等、前記第１の実施の形態等と同様の作用効果を奏することができる。なお、回転体51のアーム部65の本数は任意であり、例えば３本、５本、６本以上でもよい。
【００６１】
次に、本発明の第４の実施の形態について図８（ａ）および（ｂ）を参照して説明する。
【００６２】
この第４の実施の形態に係るゲージ輪装置23では、回転体51の筒状部61の軸方向両端側の外周面に、第１円板86および第２円板87がそれぞれ固着されている。
【００６３】
第１円板86の外周端部には、土付着防止体55の円筒面状の内周面の軸方向一端部を全周にわたって支持する円筒状の第１支持筒88が固着されている。そして、第１支持筒88には複数の挿通孔68が形成され、この第１支持筒88の外周面に土付着防止体55が脱着可能に取り付けられている。同様に、第２円板87の外周端部には、土付着防止体55の円筒面状の内周面の軸方向他端部を全周にわたって支持する円筒状の第２支持筒89が固着されている。そして、第２支持筒89には複数の挿通孔68が形成され、この第２支持筒89の外周面に土付着防止体55が脱着可能に取り付けられている。
【００６４】
これら左右の第１支持筒88と第２支持筒89とにて、土付着防止体55の円筒面状の内周面を全周にわたって支持する円筒状の支持部91が構成されている。
【００６５】
なお、図８（ａ）から明らかなように、回転体51の支持部91の回転中心軸線Ｘに沿った方向の寸法（左右方向寸法）ａ＝a1＋a2が、土付着防止体55の回転中心軸線Ｘに沿った方向の寸法（左右方向寸法）ｂよりも小さい。寸法a1は、第１支持筒88の回転中心軸線Ｘに沿った方向の寸法（左右方向寸法）である。寸法a2は、第２支持筒89の回転中心軸線Ｘに沿った方向の寸法（左右方向寸法）である。なお、その他の構成は、前記第１の実施の形態と同じである。
【００６６】
そして、この第４の実施の形態でも、回転体51を交換することなく、土付着防止体55のみを容易に交換できる等、前記第１の実施の形態等と同様の作用効果を奏することができる。
【００６７】
なお、上記いずれの実施の形態においても、回転体51がその外周部に有した支持部66，81，91は、筒状体である土付着防止体55の内周面の一部のみを支持するものであるが、例えば回転体51の支持部が土付着防止体55の内周面全体を全周にわたって支持するようにしてもよい。
【００６８】
また、回転体51の外周側に脱着可能に設ける別部品である筒状体は、土が付着しにくい土付着防止体55以外でもよく、またその形状も、円筒状には限定されず、例えば円筒状に近い多角筒状等であってもよい。
【００６９】
さらに、土付着防止体55等の筒状体を回転体51の外周部に対して解除可能に固定するための固定手段58は、ボルト56およびナット57等からなるものには限定されず、例えば解除可能な爪嵌合による固定や、止めピン等による固定等でもよい。
【００７０】
ここで、例えば図９の（ａ）および（ｂ）に示す第５の実施の形態では、止めピン106およびこの止めピン106に脱着可能なＲピン107を有する固定手段58によって、圃場の土が付着しにくい土付着防止体55が回転体51の外周部に対して固定解除可能に固定されている。
【００７１】
止めピン106は、軸部106aおよび頭部106bを有し、軸部106aには、Ｒピン107が挿入出される貫通孔108が軸部106aの軸方向に対して直交する方向に沿って形成されている。また、土付着防止体55の嵌入係止孔69には止めピン106の頭部106bが嵌脱可能に嵌入係止され、かつ、回転体51の挿通孔68には止めピン106の軸部106aが挿脱可能に挿通されている。
【００７２】
そして、このような止めピン106およびＲピン107からなる固定手段58では、ボルト56およびナット57等からなるものに比べて、固定およびその固定解除が容易であり、土付着防止体55の交換作業を容易にできる。
【００７３】
また、いずれの実施の形態でも、農作業機１である耕耘作業機の機体２のゲージ輪ホルダ部22に、ゲージ輪装置23を装着した場合について説明したが、ゲージ輪装置23を用いる農作業機１の種類は任意であり、例えば代掻機や散布機等でもよい。
【００７４】
なお、上記の各実施の形態の構成を適宜組み合わせてもよい。
【符号の説明】
【００７５】
１    農作業機
23    ゲージ輪装置
51    回転体
55    筒状体である土付着防止体
56    ボルト
56a   軸部
56b   頭部
57    ナット
58    固定手段
66    支持部
68    固定用孔である挿通孔
69    固定用孔である嵌入係止孔
81    支持部
91    支持部
Ｘ    回転中心軸線
【図１】
2013256178.tif 000003
【図２】
2013256178.tif 000004
【図３】
2013256178.tif 000005
【図４】
2013256178.tif 000006
【図５】
2013256178.tif 000007
【図６】
2013256178.tif 000008
【図７】
2013256178.tif 000009
【図８】
2013256178.tif 000010
【図９】
2013256178.tif 000011